(57)【要約】【課題】構成を複雑にすることなく、雄端子金具同士の絡みを防止する。【解決手段】雄端子金具１０は、相手の雌端子金具に接続されるタブ１１と、タブ１１の後方に位置し、筒状をなすとともに、ランス孔２９等の開口部を有する本体部１２と、本体部１２の後方に位置し、電線の端末部にかしめ付けられるバレル部１３とを備える。前後方向に関してバレル部１３とタブ１１との間に、外側から壁面を叩くことによって内部空間を絞った絞り空間部３５が形成され、他の雄端子金具１０のタブ１１が開口部を通して本体部１２内に侵入しないよう、絞り空間部３５が、タブ１１の厚み及び幅よりも小さい開口寸法を有している。【選択図】図１
2011175899.tif 000002
【特許請求の範囲】
【請求項１】
導電性の金属板から成形される雄端子金具であって、
相手の雌端子金具に接続されるタブと、
前記タブの後方に位置し、筒状をなすとともに、開口部を有する本体部と、
前記本体部の後方に位置し、電線の端末部にかしめ付けられるバレル部とを備え、
前後方向に関して前記バレル部と前記タブとの間に、外側から壁面を叩くことによって内部空間を絞った絞り空間部が形成され、他の雄端子金具の前記タブが前記開口部を通して前記本体部内に侵入しないよう、前記絞り空間部が、前記タブの厚み及び幅よりも小さい開口寸法を有していることを特徴とする雄端子金具。
【請求項２】
前記本体部が、ハウジングのキャビティ内に挿入されて、前記キャビティの内壁に形成されたランスに弾性的に係止されるようになっており、
前記本体部の中間部に、前記ランスの先端部が嵌るランス孔が開口して形成され、前記絞り空間部が、前記ランス孔に対応して臨む位置に形成されている請求項１記載の雄端子金具。
【請求項３】
前記絞り空間部が、前記本体部の側壁における前記ランス孔を区画する端縁部を凹ませてなる請求項２記載の雄端子金具。
【請求項４】
前記絞り空間部が、前記両側壁の前記端縁部の対向部分を凹ませてなる請求項３記載の雄端子金具。
【請求項５】
前記本体部の後端面が前記開口部として開口され、前記絞り空間部が、前記本体部の後端部、前記本体部と前記バレル部との間に形成された連結部、及び前記本体部の後端部と前記連結部とに跨る領域のいずれかに形成されている請求項１記載の雄端子金具。
【発明の詳細な説明】
【技術分野】
【０００１】
本発明は、雄端子金具に関する。
【背景技術】
【０００２】
一般的に雄端子金具は、導電性の金属板を曲げ加工等して成形され、タブ、本体部、及びバレル部を備えている。タブは、前方に突出する形態とされ、相手の雌端子金具に接続される。本体部は、タブの後方に連なる筒状の形態とされ、後端面及び中間部が開口部として開口されている。本体部の中間部の開口部には、この本体部がハウジングのキャビティ内に挿入されたときに、キャビティの内壁に形成されたランスが嵌るようになっている。バレル部は、タブの後方に連結部を介して連なるオープンバレル状の形態とされ、電線の端末部にかしめ付けによって接続されるようになっている。
【０００３】
ここで、特許文献１の雄端子金具の場合、本体部の開口部に、この開口部を塞ぐようにして規制片が形成されている。開口部が規制片で部分的に塞がることにより、他の雄端子金具のタブが開口部を通して本体部内に侵入するのが阻止され、雄端子金具同士の絡み合いが回避されるようになっている。
【先行技術文献】
【特許文献】
【０００４】
【特許文献１】特許第３５６１４６４号公報
【発明の概要】
【発明が解決しようとする課題】
【０００５】
ところで、上記従来の雄端子金具では、本体部が二重壁とされていて、このうち内側の壁の延出部分を折り曲げることにより、規制片が形成されるようになっている。したがって、規制片の成形分、金属板が余分に必要とされ、構造が複雑になるという事情がある。また、例えば、本体部の壁を切り起こして規制片を形成するとしても、切り起こしに伴って壁に孔が開いてしまうため、この孔を通して本体部内にタブが侵入するおそれもある。
【０００６】
本発明は上記のような事情に基づいて完成されたものであって、構成を複雑にすることなく、雄端子金具同士を絡みを防止することを目的とする。
【課題を解決するための手段】
【０００７】
上記の目的を達成するための手段として、請求項１の発明は、導電性の金属板から成形される雄端子金具であって、相手の雌端子金具に接続されるタブと、前記タブの後方に位置し、筒状をなすとともに、開口部を有する本体部と、前記本体部の後方に位置し、電線の端末部にかしめ付けられるバレル部とを備え、前後方向に関して前記バレル部と前記タブとの間に、外側から壁面を叩くことによって内部空間を絞った絞り空間部が形成され、他の雄端子金具の前記タブが前記開口部を通して前記本体部内に侵入しないよう、前記絞り空間部が、前記タブの厚み及び幅よりも小さい開口寸法を有しているところに特徴を有する。
【０００８】
請求項２の発明は、請求項１に記載のものにおいて、前記本体部が、ハウジングのキャビティ内に挿入されて、前記キャビティの内壁に形成されたランスに弾性的に係止されるようになっており、前記本体部の中間部に、前記ランスの先端部が嵌るランス孔が開口して形成され、前記絞り空間部が、前記ランス孔に対応して臨む位置に形成されているところに特徴を有する。
【０００９】
請求項３の発明は、請求項２に記載のものにおいて、前記絞り空間部が、前記本体部の側壁における前記ランス孔を区画する端縁部を凹ませてなるところに特徴を有する。
【００１０】
請求項４の発明は、請求項３に記載のものにおいて、前記絞り空間部が、前記両側壁の前記端縁部の対向部分を凹ませてなるところに特徴を有する。
【００１１】
請求項５の発明は、請求項１に記載のものにおいて、前記本体部の後端面が前記開口部として開口され、前記絞り空間部が、前記本体部の後端部、前記本体部と前記バレル部との間に形成された連結部、及び前記本体部の後端部と前記連結部とに跨る領域のいずれかに形成されているところに特徴を有する。
【発明の効果】
【００１２】
＜請求項１の発明＞
他の雄端子金具のタブが開口部を通して本体部内に侵入しないよう、絞り空間部がタブの厚み及び幅よりも小さい開口寸法を有しており、この絞り空間部が、バレル部とタブとの間において、壁面を外側から叩いて内部空間を絞った形態とされているから、絞り空間部を成形するにあたり、構成が特に複雑になることはなく、また壁面に孔を開けずに済むことで、本体部内へのタブの侵入が確実に阻止される結果、雄端子金具同士の絡みが防止される。
【００１３】
＜請求項２の発明＞
絞り空間部が本体部のランス孔に対応して臨む位置に形成されているから、ランス孔を通して本体部内にタブが侵入するのが阻止される。
【００１４】
＜請求項３の発明＞
絞り空間部が本体部の側壁におけるランス孔を区画する端縁部を凹ませてなるから、成形が容易になるとともに、本体部内へのタブの侵入を早い段階で阻止できる。
【００１５】
＜請求項４の発明＞
絞り空間部が本体部の両側壁の対向部分を凹ませてなるから、いずれか一方の側壁のみを凹ませてなるよりも、各側壁からの絞り量を小さく抑えることができ、成形性に優れる。
【００１６】
＜請求項５の発明＞
絞り空間部が、本体部の後端部、本体部とバレル部との間に形成された連結部、及び本体部の後端部と連結部とに跨る領域のいずれかに形成されているから、本体部の後端部における開口部を通して本体部内にタブが侵入するのが阻止される。
【図面の簡単な説明】
【００１７】
【図１】本発明の実施形態１に係る雄端子金具の平面図である。
【図２】雄端子金具の側面図である。
【図３】雄端子金具のもう一方の側面図である。
【図４】雄端子金具の背面図である。
【図５】図２のＢ−Ｂ断面図である。
【図６】本体部内へのタブの侵入が阻止される状態をあらわす拡大側面図である。
【図７】タブが図６の状態から軸周りに９０度回転した場合をあらわす拡大側面図である。
【図８】図１のＡ−Ａ断面図である。
【図９】本体部がハウジングのキャビティ内に挿入されてキャビティの内壁に形成されたランスに係止される状態をあらわす拡大側面図である。
【図１０】雄端子金具の展開図である。
【図１１】実施形態２に係る雄端子金具の拡大平面図である。
【図１２】実施形態３に係る雄端子金具の側面図である。
【発明を実施するための形態】
【００１８】
＜実施形態１＞
本発明の実施形態１を図１ないし図１０によって説明する。本実施形態に係る雄端子金具１０は、導電性の金属板を曲げ加工等して一体に成形され、タブ１１、本体部１２、及びバレル部１３を備えている。この雄端子金具１０は、図９に示すように、ハウジング６０のキャビティ６１内に挿入され、キャビティ６１の内壁に撓み可能に形成されたランス６２によって弾性的に係止されるようになっている。
【００１９】
雄端子金具１０は、前後方向に細長い形状をなし、その長さ方向（前後方向）ほぼ中央部に本体部１２が配置されている。
タブ１１は、本体部１２の前端から前方へ突出する扁平角筒状の形態であって、図８に示すように、高さ方向で対向する１対の長辺部１４と幅方向で対向する１対の短辺部１５とからなる。両長辺部１４は、タブ１１の幅寸法を規定するものであって幅方向に沿って配置され、両短辺部１５よりも長寸とされている。両短辺部１５は、タブ１１の厚み寸法を規定するものであって、高さ方向に沿って配置されている。タブ１１の先端部は、両長辺部１４を先窄み状に折り曲げることによって誘い込み部１６が形成されている。雄端子金具１０のキャビティ６１内への挿入動作が誘い込み部１６によって案内されるようになっている。かかるタブ１１は、ハウジング６０の嵌合動作に伴い、相手の雌端子金具（図示せず）に接触して電気的に接続されるようになっている。
【００２０】
バレル部１３は、図１に示すように、本体部１２の後方に配置されている。バレル部１３と本体部１２との間には連結部１７が形成され、この連結部１７を介してバレル部１３と本体部１２とが互いに連結されている。連結部１７は、底面部１８と、底面部１８の幅方向両端から立ち上げられる左右１対の側面部１９とからなる。バレル部１３は、前側バレル部１３Ｒと後側バレル部１３Ｒとからなる。前側バレル部１３Ｆは、左右１対の前側かしめ片２１を有し、図示しない電線の端末部にて露出された芯線にかしめ付けによって接続される。後側バレル部１３Ｒは、左右１対の後側かしめ片２２を有し、電線の端末部における被覆にかしめ付けによって接続される。
【００２１】
本体部１２は、図４及び図５に示すように、略四角筒状をなし、基壁２３と、基壁２３の幅方向両端から立ち上げられる左右１対の側壁２４と、一方の側壁２４の立ち上げ端から他方の側壁２４の立ち上げ端に向けて折り曲げられる内側天井壁２５と、他方の側壁２４の立ち上げ端から一方の側壁２４の立ち上げ端に向けて折り曲げられて内側天井壁２５の外側に被さる外側天井壁２６とからなる。基壁２３は、連結部１７の底面部１８及びタブ１１の下側の長辺部１４に連なり、両側壁２４は、連結部１７の両側面部１９、タブ１１の両短辺部１５、及びタブ１１の上側の長辺部１４に連なっている。本体部１２の後端面は、開口面２７として開放されている。
【００２２】
基壁２３の前端部の幅方向中央部には、図９に示すように、三角突状のスタビライザ２８が外側に切り起こして形成されている。ここで、ハウジング６０には案内溝６３がキャビティ６１に沿って形成されており、キャビティ６１内への雄端子金具１０の挿入過程で、スタビライザ２８が案内溝６３の溝面を摺動することにより、雄端子金具１０の挿入動作が案内されるとともに、雄端子金具１０がキャビティ６１内に正逆反転して挿入されるのが規制されるようになっている。
【００２３】
内側天井壁２５及び外側天井壁２６は、本体部１２の長さ方向中央部に形成されたランス孔２９を挟んで前後に分断されている。雄端子金具１０がキャビティ６１内に正規挿入されると、ランス孔２９に上方からランス６２の先端部が弾性的に嵌るようになっている。ここで、前側に位置する内側天井壁２５及び外側天井壁２６はそれぞれ幅方向に沿った後端縁３１を有し、両後端縁３１は前後方向に関して同じ位置に揃えられている。そして、内側天井壁２５及び外側天井壁２６の両後端縁３１はランス孔２９の前縁を区画している。また、後側に位置する内側天井壁２５及び外側天井壁２６はそれぞれ幅方向に沿った前端縁３２Ｆ、３２Ｒを有し、内側天井壁２５の前端縁３２Ｆは外側天井壁２６の前端縁３２Ｒよりも前方に配置されている。このうち、内側天井壁２５の前端縁３２Ｆがランス孔２９の後縁を区画している。
【００２４】
上記により、本体部１２の後端部及び前端部は、内側天井壁２５及び外側天井壁２６の二重壁構造とされ、本体部１２の後端部からランス孔２９に至る間は、内側天井壁２５のみの一重壁構造とされる。前側の外側天井壁２６の前端縁には、前側の内側天井壁２５の前端縁を覆うように斜め下方に延びる垂片３３が形成されている。垂片３３によって本体部１２とタブ１１との間に形成される隙間が埋められるとともに、本体部１２のキャビティ６１内への挿入動作が円滑になされるようになっている。
【００２５】
両側壁２４の立ち上げ端には、ランス孔２９の幅方向両側縁を区画する凹所３４が切り欠いて形成されている。このうち、一方の側壁２４に形成された凹所３４は、内側天井壁２５の厚み分以上の深さで前後方向に沿った一定高さの端面３７を有し、他方の側壁２４に形成された凹所３４は、その後端から前端に向けて次第に深くなり、途中で一定高さとなって内側天井壁２５の厚み分以上の深さとなる端面３７を有している。
【００２６】
さて、本体部１２には、図１に示すように、ランス孔２９に対応して臨む位置に、絞り空間部３５が形成されている。絞り空間部３５は、両側壁２４の端縁部３６の対向部分をそれぞれ外側から内側へ叩き出すことにより、本体部１２の内部空間を絞った形態とされている。両側壁２４の端縁部３６には、上記の端面３７が含まれている。叩き出しに伴い、両側壁２４の端縁部３６の外面には、凹部３８が形成され（図２を参照）、両側壁２４の端縁部３６の内面には、凹部３８と背合わせの位置に、凸部３９が形成される（図８を参照）。もっとも、端縁部３６以外の部分は、叩き出しによって形状の変更を伴うことはない。また、両側壁２４の端縁部３６の端面３７には、叩き出しに伴い、前後方向に沿って互いに略平行に延びる左右１対の直線部４１と、両直線部４１の前後両端から両側壁２４にかけて前後方向に対して斜めに拡開する前後及び左右１対ずつの傾斜部４２とが形成される。前後の傾斜部４２は、前後方向に対する傾斜角を互いに同一として構成されている。また、絞り空間部３５は、前後方向に沿った中心軸を挟んで対称な形状とされている。そして、両直線部４１間の開口寸法（開口幅）は、タブ１１の厚み寸法及び幅寸法よりも小さくされている。また、前側の傾斜部４２とランス孔２９の前縁（前側の内側天井壁２５及び外側天井壁２６の両後端縁３１）とで区画される絞り空間部３５の前方領域の開口寸法、及び後側の傾斜部４２とランス孔２９の後縁（内側天井壁２５の前端縁３２Ｆ）とで区画される絞り空間部３５の後方領域の開口寸法も、タブ１１の厚み寸法及び幅寸法より小さくされている。このため、他の雄端子金具１０のタブ１１が、絞り空間部３５を貫通するのが回避されるようになっている。
【００２７】
次に、本実施形態に係る雄端子金具１０の作用効果を説明する。
まず、雄端子金具１０は、成形に際し、導電性の金属板から図１０に示す展開形状に打ち抜かれる。この場合、絞り空間部３５は、この雄端子金具１０を打ち抜くプレス工程でプレス領域４４に形成される。
【００２８】
ハウジング６０のキャビティ６１内に雄端子金具１０の本体部１２が挿入されると、図９に示すように、本体部１２のランス孔２９にランス６２の先端部が弾性的に嵌り、ランス孔２９の前縁にランス６２が係止することで、雄端子金具１０がキャビティ６１内に抜け止めされる。この場合、ランス６２の先端は、両側壁２４の端縁部３６の端面３７よりも上方でかつ後側の内側天井壁２５の厚み寸法内に配置されるようになっている。
【００２９】
ところで、雄端子金具１０が他の雄端子金具１０とともに搬送等される際に、他の雄端子金具１０のタブ１１がランス孔２９を通して本体部１２内に侵入し、雄端子金具１０同士が互いに絡み合うおそれがある。しかるに本実施形態によれば、ランス孔２９に対応して臨む位置に絞り空間部３５が形成され、この絞り空間部３５を区画する端縁部３６の端面３７に、詳細には両直線部４１の前端部及び前側の傾斜部４２等に、タブ１１の先端が後方から当接することにより、タブ１１の本体部１２内への侵入が阻止されるため、雄端子金具１０同士の絡みが回避される。この場合、絞り空間部３５の開口寸法がタブ１１の厚み寸法及び幅寸法よりも小さくされているから、絞り空間部３５の幅方向にタブ１１の厚み部分（短辺部１５）が向けられている場合（図７を参照）のみならず、絞り空間部３５の幅方向にタブ１１の幅部分（長辺部１４）が向けられている場合（図６を参照）であっても、タブ１１の本体部１２内への侵入が阻止される。
【００３０】
そして、絞り空間部３５を成形するにあたり、雄端子金具１０の構成を特に複雑化させることはなく、また切り起こしと違って、本体部１２の壁面に孔を開ける必要もないため、本体部１２内のタブ１１の侵入が確実に阻止される。しかも、絞り空間部３５が両側壁２４の端縁部３６を叩き出してなるから、本体部１２の強度を高めることができる。
【００３１】
また、絞り空間部３５が両側壁２４の端縁部３６を凹ませてなるから、成形が容易になるとともに、本体部１２内へのタブ１１の侵入が早い段階で阻止される。さらに、絞り空間部３５が両側壁２４の端縁部３６の対向部分を凹ませてなるから、いずれか一方の側壁２４のみを凹ませてなるよりも、各側壁２４からの絞り量を小さく抑えることができ、成形性に優れる。
【００３２】
＜実施形態２＞
図１１は、本発明の実施形態２を示す。実施形態２では、絞り空間部３５Ａの形態が実施形態１とは部分的に異なっている。その他は、実施形態１と同様であり、同様の構成には同一符合を付し、重複する説明は省略する。
【００３３】
絞り空間部３５Ａは、実施形態１と同様、両側壁２４の端縁部３６を外側から内側へ叩き出すことによって形成される。両側壁２４の端縁部３６の端面３７には、叩き出しに伴い、前後方向に沿って互いに略平行に延びる左右１対の直線部４１と、両直線部４１の後端から両側壁２４にかけて前後方向に対して斜めに拡開する傾斜部４２と、両直線部４１の前端から両側壁２４にかけて前後方向に対して直交する幅方向に延びる直交部４５とが形成される。直交部４５とランス孔２９の前縁（前側の内側天井壁２５及び外側天井壁２６の両後端縁３１）とで区画される絞り空間部３５Ａの前方領域の開口寸法は、タブ１１の厚み寸法及び幅寸法よりも充分に小さくされている。
【００３４】
したがって、実施形態２によれば、先端を前方に向けたタブ１１が直交部４５と当接することにより、本体部１１内へのタブ１１の侵入が効果的に阻止される。
【００３５】
＜実施形態３＞
図１２は、本発明の実施形態３を示す。実施形態３では、ランス孔２９と対応する位置に絞り空間部が形成されておらず、本体部１２の後端部の開口面２７と対応する位置に絞り空間部３５Ｂが形成されている。
【００３６】
絞り空間部３５Ｂは、連結部１７の両側面部１９及び本体部１２の両側壁２４とに跨る領域を外側から叩くことによって形成され、この跨る領域の内部空間をタブ１１の厚み寸法及び幅寸法よりも小さく絞った形態とされている。この場合、絞り空間部３５Ｂは、両側面部１９及び両側壁２４の高さ方向中間部に形成されている。叩き出しに伴い、両側面部１９の外面には、前後方向に細長い楕円形の凹部３８Ａが形成され、両側面部１９の内面には、凹部３８Ａと背合わせの位置に、凸部（図示せず）が形成される。
【００３７】
実施形態３によれば、タブ１１の先端が絞り空間部３５Ｂを区画する凸部の端面に当接することにより、タブ１１が開口面２７を通して本体部１２内に侵入するのが阻止される。
【００３８】
＜他の実施形態＞
本発明は上記記述及び図面によって説明した実施形態に限定されるものではなく、例えば次のような実施形態も本発明の技術的範囲に含まれる。
（１）絞り空間部が、本体部の側壁の高さ方向中間部を外側から叩いて形成されるものであってもよい。
（２）絞り空間部が、本体部の基壁、又は連結部の底面部を外側から叩いて形成されるものであってもよい。
（３）絞り空間部が、本体部の後端面（開口面）を通して本体部内にタブが侵入しないよう、連結部の部分のみ、又は本体部の後端部のみを外側から叩いて形成されるものであってもよい。
（４）実施形態１では、前側の傾斜部のほうが後側の傾斜部よりも前後方向に対する傾斜角を大きくして形成されていてもよい。また、逆に、後側の傾斜部のほうが前側の傾斜部よりも前後方向に対する傾斜角を大きくして形成されていてもよい。
（５）絞り空間部は、両側壁を外側から叩くことによって内側へ弧状に湾曲する壁面によって区画されるものであってもよい。
（６）本発明は、実施形態１と実施形態２の両形態を併せ持つ雄端子金具であってもよい。こうすると、本体部内へのタブの侵入が本体部の後端面（開口面）及びランス孔のいずれの経路からも阻止される。
【符号の説明】
【００３９】
１０…雄端子金具
１１…タブ
１２…本体部
１３…バレル部
２４…側壁
２９…ランス孔
３５、３５Ａ、３５Ｂ…絞り空間部
３６…端縁部
６０…ハウジング
６１…キャビティ
６２…ランス
【図１】
2011175899.tif 000003
【図２】
2011175899.tif 000004
【図３】
2011175899.tif 000005
【図４】
2011175899.tif 000006
【図５】
2011175899.tif 000007
【図６】
2011175899.tif 000008
【図７】
2011175899.tif 000009
【図８】
2011175899.tif 000010
【図９】
2011175899.tif 000011
【図１０】
2011175899.tif 000012
【図１１】
2011175899.tif 000013
【図１２】
2011175899.tif 000014